【事件の表示】
　特許第３０２３９２５号「オルガノポリシロキサンおよびアクリルアミド／中和された２−アクリルアミド−２−メチル−プロパンスルホン酸との架橋コポリマーを基体とする水性分散液の化粧品的および局所的適用における利用」の請求項１ないし３に係る特許に対する特許異議の申立てについて、次のとおり決定する。
【結　論】
　訂正を認める。
　特許第３０２３９２５号の請求項１ないし３に係る特許を維持する。
【理　由】
 　　　　　理　　　　　　　由
１．手続の経緯
　本件特許第３０２３９２５号の発明については、平成４年９月１５日に出願され、平成１２年１月２１日にその特許権の設定登録がなされ、その後、株式会社成和化成より特許異議の申し立てがなされ、当審により取り消し理由通知がなされ、その指定期間内である平成１５年１０月７日に訂正請求がなされたものである。
　
２．訂正の適否についての判断
　ア．訂正の内容
  特許権者が求めている訂正の内容は、以下のとおりである。
訂正事項ａ．
　本件特許明細書第１１頁第１５行〜第２０行（本件特許公報第８欄第２８行〜第３３行）における
「１）ローヌ−プーラン社により発売の７００４７および４７系列のSilbione油例えば４７Ｖ５００，０００油またはローヌ−プーランのSilbione　７０６４１Ｖ２００油のようなポリアルキルアリールシロキサン型の油ようなトリメチルシリル末端基を含有する直鎖ポリアルキルシロキサン型の揮発性シリコーン、」を
「１）ローヌ−プーラン社により発売の７００４７および４７系列のSilbione油、例えば４７Ｖ５００，０００油のようなトリメチルシリル末端基を含有する直鎖ポリアルキルシロキサン型の非揮発性シリコーン、またはローヌ−プーラン社のSilbione　７０６４１Ｖ２００油のようなポリアルキルアリールシロキサン型の非揮発性シリコーン、」に訂正する。
訂正事項ｂ．
　本件特許明細書の特許請求の範囲の請求項１における
「０．５から５０重量％の少なくとも１種のオルガノポリシロキサン（ただし、このオルガノポリシロキサンは、粘度が１０−１ｍ２／秒未満の直鎖ポリジメチルシロキサンからは選択されない）、及び・・・を含有する、化粧品用水性分散液。」を
「０．５から５０重量％の少なくとも１種のオルガノポリシロキサン及び・・・を含有する、化粧品用水性分散液であって、当該オルガノポリシロキサンが、（１）トリメチルシリル末端基を含有し、かつ、粘度が１０−１ｍ２／秒より大きい直鎖ポリアルキルシロキサン型の非揮発性シリコーン、または２５℃の粘度が１０−５〜５ｘ１０−２ｍ２／秒であるポリアルキルアリールシロキサン型の非揮発性シリコーン、（２）オルガノシロキサンと環状シリコーンとの混合物、及び、（３）トリメチルシリル末端基を含有し鎖上にトリフルオロプロピル基を置換したポリアルキルシロキサン型のフルオロシリコーン、から選ばれる、上記化粧品用水性分散液。」に訂正する。
訂正事項ｃ．
　本件特許明細書の特許請求の範囲の請求項３における
「０．５から５０重量％の少なくとも１種のオルガノポリシロキサン（ただし、このオルガノポリシロキサンは、粘度が１０−１ｍ２／秒未満の直鎖ポリジメチルシロキサンからは選択されない）、及び・・・を含有する水性分散液の形をとる皮膚用組成物。」を
「０．５から５０重量％の少なくとも１種のオルガノポリシロキサン及び・・・を含有する、水性分散液の形をとる皮膚用組成物であって、当該オルガノポリシロキサンが、（１）トリメチルシリル末端基を含有し、かつ、粘度が１０−１ｍ２／秒より大きい直鎖ポリアルキルシロキサン型の非揮発性シリコーン、又は２５℃の粘度が１０−５〜５ｘ１０−２ｍ２／秒であるポリアルキルアリールシロキサン型の非揮発性シリコーン、（２）オルガノシロキサンと環状シリコーンとの混合物、及び、（３）トリメチルシリル末端基を含有し鎖上にトリフルオロプロピル基を置換したポリアルキルシロキサン型のフルオロシリコーン、から選ばれる、上記皮膚用組成物。」に訂正する。
　
　イ．訂正の適否、新規事項の有無及び拡張・変更の存否
　上記の訂正事項ａ．については、「ローヌ−プーラン社により発売の７００４７および４７系列のSilbione油」が「トリメチルシリル末端基を含む」ものであることは、本件特許明細書第５頁第１〜２行（公報第４欄第３７〜３８行）に記載され、「ポリアルキルシロキサン型の非揮発性シリコーン」であることは、本件特許明細書第４頁第１７行及び第２２行（公報第４欄第２８行及び第３３行）に記載され、また、「ローヌ−プーランのSilbione　７０６４１Ｖ２００油」が「ポリアルキルアリールシロキサン型の非揮発性シリコーン」であることは、本件特許明細書第４頁第１７行及び第５頁第１２行（公報第４欄第２８行及び第４８行）に記載されていることからみて、誤記の訂正を目的とした明細書の訂正に該当し、訂正事項ｂ．及び訂正事項ｃ．は、いずれも特許請求の範囲の減縮を目的とした明細書の訂正に該当する。
　そして、上記の訂正事項は、特許明細書に記載された事項の範囲内のものであって、かつ、実質上特許請求の範囲を拡張し又は変更するものではない。
　
　ウ．むすび
　以上のとおりであるから、上記訂正請求は、特許法第１２０条の４第２項及び同条第３項で準用する第１２６条第２項及び第３項の規定に適合するので、当該訂正を認める。
　
３．特許異議の申立てについて
　ア．本件発明
　特許第３０２３９２５号の請求項１〜３に係る発明は、訂正明細書の特許請求の範囲に記載された次のとおりのものである（以下、それぞれ、「本件訂正発明１」などという。）。
「【請求項１】分散液の全重量を基準として
　０．５から５０重量％の少なくとも１種のオルガノポリシロキサン及び
　０．０５から１０重量％の１種のアクリルアミド／中和された２−アクリルアミド−２−メチルプロパンスルホン酸の架橋コポリマー、
を含有する、化粧品用水性分散液であって、
　当該オルガノポリシロキサンが、
　（１）トリメチルシリル末端基を含有し、かつ、粘度が１０−１ｍ２／秒より大きい直鎖ポリアルキルシロキサン型の非揮発性シリコーン、又は２５℃の粘度が１０−５〜５ｘ１０−２ｍ２／秒であるポリアルキルアリールシロキサン型の非揮発性シリコーン、
　（２）オルガノシロキサンと環状シリコーンとの混合物、及び
　（３）トリメチルシリル末端基を含有し鎖上にトリフルオロプロピル基を置換したポリアルキルシロキサン型のフルオロシリコーン、
から選ばれる、上記化粧品用水性分散液。
【請求項２】０．０２から６．５重量％の１種以上の高沸点を有するイソパラフィン炭化水素をさらに含有する、請求項１の化粧品用水性分散液。
【請求項３】分散液の全重量を基準として
　０．５から５０重量％の少なくとも１種のオルガノポリシロキサン及び
　０．０５から１０重量％の１種のアクリルアミド／中和された２−アクリルアミド−２−メチルプロパンスルホン酸の架橋コポリマー、
を含有する、水性分散液の形をとる皮膚用組成物であって、
　当該オルガノポリシロキサンが、
　（１）トリメチルシリル末端基を含有し、かつ、粘度が１０−１ｍ２／秒より大きい直鎖ポリアルキルシロキサン型の非揮発性シリコーン、又は２５℃の粘度が１０−５〜５ｘ１０−２ｍ２／秒であるポリアルキルアリールシロキサン型の非揮発性シリコーン、
　（２）オルガノシロキサンと環状シリコーンとの混合物、及び
　（３）トリメチルシリル末端基を含有し鎖上にトリフルオロプロピル基を置換したポリアルキルシロキサン型のフルオロシリコーン、
から選ばれる、上記皮膚用組成物。」
　
　イ．申立の理由の概要
　特許異議申立人株式会社　成和化成（以下、「申立人」という。）は、証拠として甲第１号証［（セピック（ＳＥＰＩＣ）社のセピゲル３０５（ＳＥＰＩＧＥＬ　３０５）のカタログ］、甲第２号証（特開平３−１５１３１４号公報）、甲第３号証（米国特許第４，８５９，４５８号明細書）及び甲第４号証（特開平３−７９６５５号公報）を提出し、訂正前の本件請求項１〜３に係る発明は、甲第１及び２号証に記載された発明に基づいて当業者が容易に発明をすることができたものであるから、特許法第２９条第２項の規定に違反し特許を受けることができないので、訂正前の請求項１〜３に係る発明の特許を取り消すべき旨主張する。
　
　ウ．申立人が提出した甲各号証記載の発明
　申立人が提出した甲第１号証は、セピック社の、水性ゲルおよびエマルジョン用の増粘剤であるセピゲル３０５についてのカタログであり、その第１２頁には、セピゲル３０５を３．００％、シリコーンオイルを２．００％含有するノングリーシィーサンゲルの処方が記載され、このシリコーンオイルはＤＣ２００／３５０であることが記載されている。
　同じく申立人が提出した甲第２号証には、水性媒体中にオルガノポリシロキサンとアンモニウムアクリレート／架橋アクリルアミドコポリマーとを含有することを特徴とする水性分散液からなる皮膚又は毛髪処理用化粧品組成物が記載され、上記オルガノポリシロキサンは、本件発明１で用いられるオルガノポリシロキサンを包含するものが記載されている。
　また、同じく申立人が提出した甲第３号証には、スルホン酸のアルコキシアンモニウム塩を含むポリマーの毛髪化粧品が記載され、該ポリマーのなかには、モノマー成分として２−アクリルアミド−２−メチルプロパンスルホン酸塩を用いたポリマーが例示（第４欄第６４〜６６行）され、実施例６では、アクリルアミドと２−アクリルアミド−２−メチルプロパンスルホン酸塩のコポリマーが記載されている。
　さらに、同じく申立人が提出した甲第４号証には、Ｎ−ドデシルアクリルアミド／２−アクリルアミド−２−メチルプロパンスルホン酸コポリマー：ナトリウム塩とシクロペンタジメチルシクロヘキサン（シリコーン油の１種）を併用したエマルジョンを含有する化粧用組成物が記載されている。
　
　エ．対比・判断
　本件訂正発明１と甲第１号証に記載された発明とを対比すると、両者は、分散液の全重量を基準として０．５から５０重量％の少なくとも１種のオルガノポリシロキサン及び０．０５から１０重量％の１種のアクリルアミド／中和された２−アクリルアミド−２−メチルプロパンスルホン酸の架橋ポリマーを含有する化粧品用水性分散液である点で一致し、一方、前者においては、該オルガノポリシロキサンとして（１）トリメチルシリル末端基を含有し、かつ、粘度が１０−１ｍ２／秒より大きい直鎖ポリアルキルシロキサン型の非揮発性シリコーン、又は２５℃の粘度が１０−５〜５ｘ１０−２ｍ２／秒であるポリアルキルアリールシロキサン型の非揮発性シリコーン、
　（２）オルガノシロキサンと環状シリコーンとの混合物、及び
　（３）トリメチルシリル末端基を含有し鎖上にトリフルオロプロピル基を置換したポリアルキルシロキサン型のフルオロシリコーン、
から選ばれるものを用いているのに対して、後者においては、ダウ　コーニング社製のＤＣ２００／３５０を用いている点で相違する。
　そこで、この相違点について検討すると、後者におけるオルガノポリシロキサンであるＤＣ２００／３５０は３５０ｘ１０−６ｍ２／ｓに相当する３５０ｒｓｔ粘度を有するポリジメチルシロキサンであり（平成１３年１０月１７日付意見書第２頁）、前者におけるオルガノポリシロキサンである（１）〜（３）のいずれとも大きく相違するものであるところ、甲第２号証は、前者におけるオルガノポリシロキサンを記載するものの、組み合わせ使用される架橋ポリマーはアンモニウムアクリレート／架橋アクリルアミドコポリマーであって、前者で用いられるアクリルアミド／中和された２−アクリルアミド−２−メチルプロパンスルホン酸の架橋コポリマーとは、その化学構造において全く相違するコポリマーであり、後者におけるオルガノポリシロキサンとして、そこに記載されたオルガノポリシロキサンに代えて甲第２号証に記載されたオルガノポリシロキサンを用いることを当業者が容易に想到し得ないものである。
　したがって、本件訂正発明１は、甲第１及び２号証に記載された発明に基づいて、当業者が容易に発明をすることができたものではない。
　なお、甲第３及び４号証に記載されたコポリマーはいずれも架橋したものではないので、甲第１及び２号証に新たに付け加える事項のないものである。
　本件訂正発明２は、本件訂正発明１をさらに技術的に限定するものであるから、上記と同様の理由により、甲第１及び２号証に記載された発明に基づいて当業者が容易に発明をし得たものではない。
　本件訂正発明３は、皮膚用組成物に係るものであるところ、それは本件訂正発明１と同一の組成を有する水性分散液の形をとるものであるから、上記と同様の理由により、甲第１及び２号証に記載された発明に基づいて当業者が容易に発明をし得たものではない。
　したがって、申立人の主張は妥当でない。
　
オ．むすび
　したがって、本件特許は、特許異議申立ての理由及び証拠によっては取り消すことができない。
  また、他に本件発明の特許を取り消すべき理由を発見しない。
　
　よって、結論のとおり決定する。
【異議決定日】
平成１５年１０月２８日（２００３．１０．２８）
【訂正の要旨】
審決（決定）の【理由】欄参照。
（５４）【発明の名称】
オルガノポリシロキサンおよびアクリルアミド／中和された２−アクリルアミド−２−メチル−プロパンスルホン酸との架橋コポリマーを基体とする水性分散液の化粧品および局所的適用における利用
（５７）【特許請求の範囲】
　【請求項１】　分散液の全重量を基準として、
　０．５から５０重量％の少なくとも１種の
オルガノポリシロキサン
　０．０５から１０重量％の１種のアクリルアミド／中和された２−アクリルアミド−２−メチルプロパンスルホン酸の架橋コポリマー、
を含有する、化粧品用水性分散液
であって、
　
当該オルガノポリシロキサンが、
　
（１）トリメチルシリル末端基を含有し、かつ、粘度が１０−１ｍ２／秒より大きい直鎖ポリアルキルシロキサン型の非揮発性シリコーン、又は２５℃の粘度が１０−５〜５×１０−２ｍ２／秒であるポリアルキルアリールシロキサン型の非揮発性シリコーン、
　
（２）オルガノシロキサンと環状シリコーンとの混合物、及び
　
（３）トリメチルシリル末端基を含有し鎖上にトリフルオロプロピル基を置換したポリアルキルシロキサン型のフルオロシリコーン、
から選ばれる、上記化粧品用水性分散液。
　【請求項２】　０．０２から６．５重量％の１種以上の高沸点を有するイソパラフィン炭化水素をさらに含有する、請求項１の化粧品用水性分散液。
　【請求項３】　分散液の全重量を基準として、
　０．５から５０重量％の少なくとも１種の
オルガノポリシロキサン
　０．０５から１０重量％の１種のアクリルアミド／中和された２−アクリルアミド−２−メチルプロパンスルホン酸の架橋コポリマー、
を含有する、水性分散液の形をとる皮膚用組成物
であって、
　
当該オルガノポリシロキサンが、
　
（１）トリメチルシリル末端基を含有し、かつ、粘度が１０−１ｍ２／秒より大きい直鎖ポリアルキルシロキサン型の非揮発性シリコーン、又は２５℃の粘度が１０−５〜５×１０−２ｍ２／秒であるポリアルキルアリールシロキサン型の非揮発性シリコーン、
　
（２）オルガノシロキサンと環状シリコーンとの混合物、及び
　
（３）トリメチルシリル末端基を含有し鎖上にトリフルオロプロピル基を置換したポリアルキルシロキサン型のフルオロシリコーン、
から選ばれる、上記皮膚用組成物。
【発明の詳細な説明】
　本発明はオルガノポリシロキサンおよびアクリルアミド／中和された２−アクリルアミド−２−メチルプロパンスルホン酸との架橋コポリマーを基体とする水性分散液を化粧品中で使用することあるいは局所的適用に使用することに関する。
　シリコーン油は毛髪および皮膚処理組成物中の潤滑剤としてすでに化粧品中に使用されている。この油は主としてポリジメチルシロキサンである。
　毛髪または皮膚に柔らかさを与えあるいは毛髪のもつれの解きほぐしを容易にもするために、陽イオンポリマーまたは界面活性剤が永らく用いられてきた。陽イオン化合物は、繰り返し適用した後には、毛髪に油ぎった外見を与えることによって毛髪を真直ぐでやわらかくするあるいは皮膚に粘着性を与えるという欠点をもつ。
　本発明者は、オルガノポリシロキサンおよびアクリルアミド／中和２−アクリルアミド−２−メチルプロパンスルホン酸架橋コポリマーを基体とする水性分散液を毛髪の処理に使用することによって、光沢があり、絹のようなそしていきいきとした毛髪を得ることができ、また毛髪のもつれを解きほぐす特性や柔らかさが顕著に改善されることを驚くべきことに見出した。
　この水性分散液を皮膚の処理に使用することにより、粘着性を与えることなく皮膚に柔らかい感触を与えることもできる。
　本発明に係る、化粧品中に使用されるあるいは局所的適用に用いられる水性分散液は、陽イオン化合物を基体とする従来技術による組成物と比べて一層容易に皮膚および毛髪上で展延する。
　本発明者はまた、本発明による水性分散液の形をとる化粧品組成物は著しく安定でありまた、数回の継続的適用の後でさえそして一層特定的には毛髪へのリンスをしないで適用した場合において、組成物の化粧品としての特性が持続することも見出した。
　従って本発明の目的は、少くとも一つのオルガノポリシロキサンと一つのアクリルアミド／中和２−アクリルアミド−２−メチルプロパンスルホン酸架橋コポリマーとを含有する水性分散液を毛髪または皮膚の化粧品処理または局所的適用において使用することからなる。
　本発明の他の目的は水性分散液の形をとる毛髪または皮膚を処理するための化粧品組成物または皮膚病学用組成物に関する。
　本発明の別な目的は、所望の適用に応じて本組成物を使用する毛髪または皮膚の化粧品処理方法に関する。
　本発明の他の目的は以下の記載および実施例に照らせば明らかとなる。
　本発明の主な目的は、オルガノポリシロキサンを１０−１ｍ２／秒より低い粘度をもつ直鎖ポリジメチルシロキサンから選択しないものとして、水性分散液が化粧品的にまたは生理学的に許容できる水性媒体中に、少くとも一つのオルガノポリシロキサンと一つのアクリルアミド／中和２−アクリルアミド−２−メチルプロパンスルホン酸架橋コポリマーを含有することを特徴とする、毛髪または皮膚の化粧品処理または局所的適用において水性分散液を使用することである。
　本発明の分散液に使用するオルガノポリシロキサンはオルガノシロキサンガムまたは樹脂を含有するオルガノポリシロキサン油または有機溶液である。
　本発明に用いるオルガノシロキサンとして非限定的に以下のものをあげることができる。
　
Ｉ．揮発性シリコーン
　このシリコーンは６０℃〜２６０℃の沸点をもつ。このタイプのシリコーンとして以下をあげることができる。
　（ｉ）　ケイ素原子を３〜７個、望ましくは４〜５個含む環状シリコーン。これは例えば、ユニオンカーバイド社によってＶｏｌａｔｉｌｅ　Ｓｉｌｉｃｏｎｅ　７２０７の名でまたはローヌ−プーラン社によってＳｉｌｂｉｏｎｅ　７００４５Ｖ２の名で発売のオクタメチルシクロテトラシロキサンあるいはユニオンカーバイド社によりＶｏｌａｔｉｌｅ　Ｓｉｌｉｃｏｎｅ　７１５８の名でまたはローヌ−プーラン社によりＳｉｌｂｉｏｎｅ　７００４５Ｖ５の名で発売のデカメチルシクロペンタシロキサンおよびこれらの混合物である。
　また、ユニオンカーバイド社により発売のジメチルシロキサン／メチルオクチルシロキサン環状コポリマーであるＳｉｌｉｃｏｎｅ　Ｖｏｌａｔｉｌｅ　ＦＺ　３１０９のようなジメチルシロキサン／メチルアルキルシロキサン型の環状コポリマーをあげることもできる。
　（ｉｉ）　ケイ素原子２〜９個をもちかつ２５℃の粘度が５×１０−５ｍ２／秒以下の粘度をもつ揮発性の直鎖シリコーン。これは例えば、ローヌ−プーラン社によってＳｉｌｂｉｏｎｅ　７００４１Ｖの名で発売のヘキサメシルジシロキサンである。このタイプの製品はＣｏｓｍｅｔｉｃｓ　ａｎｄ　Ｔｏｉｌｅｔｒｉｅｓ誌９１巻（１９７６年１月刊）２７〜３２頁所載のＴｏｄｄおよびＢｙｅｒｓの文献「化粧品のための揮発性シリコーン液」中に記載されている。
　
ＩＩ．非揮発性シリコーン
　このシリコーンはポリアルキルシロキサン、ポリアリールシロキサン、ポリアルキルアリールシロキサン、シリコーンガムおよび樹脂ならびに有機変性ポリシロキサンおよびこれらの混合物から主としてなる。
　ポリアルキルシロキサンとしては、
・例えば、そして非限定的にいうならば、ローヌ−プーラン社により発売の７００４７系列のＳｉｌｂｉｏｎｅ油、ローヌ−プーランの４７Ｖ５００，０００油またはゼネラルエレクトリック社のいくつかのＶｉｓｃａｓｉｌのように、トリメチルシリル末端基を含む、あるいは
・ローヌ−プーラン社の４８Ｖ系列の油のように、トリヒドロキシシリル末端基を含む、
粘度が１０−１ｍ２／秒より大きい直鎖ポリジメチルシロキサンを主としてあげることができる。
　このポリアルキルシロキサンの部類のうち、ゴールドシュミット社によりＡｂｉｌｗａｘ　９８００およびＡｂｉｌｗａｘ　９８０１の名で発売のポリアルキルシロキサンもあげることができ、これらはポリ（Ｃ１〜Ｃ２０）アルキルシロキサンである。
　ポリアルキルアリールシロキサンのうち、２５℃の粘度が１０−５〜５×１０−２ｍ２／秒である直鎖および（または）分枝鎖のポリジメチルジフェニルシロキサンまたはポリジメチルフェニルシロキサン例えば
・ローヌ−プーラン社のＲｈｏｄｏｒｓｉｌ　７６３油、
・ローヌ−プーラン社の７０６４１系列のＳｉｌｂｉｏｎｅ油、例えばＳｉｌｂｉｏｎｅ　７０６４１Ｖ３０および７０６４１Ｖ２００油、
・ダウコーニング社のＤＣ５５６　Ｃｏｓｍｅｔｉｃ　Ｇｒａｄ　Ｆｌｕｉｄ、
・バイエル社のＰＫ系列のシリコーン、例えばＰＫ２０、
・バイエル社のＰＮまたはＰＨ系列のシリコーン、例えばＰＮ１０００およびＰＨ１０００、
・ゼネラルエレクトリック社のＳＦ系列のいくつかの油、例えばＳＦ１２５０、ＳＦ１２６５、ＳＦ１１５４またはＳＦ１０２３
をあげることができる。
　本発明におけるシリコーンガムは２００，０００〜１，０００，０００の高分子量をもつポリジオルガノシロキサンであり、単独で用いられあるいは、揮発性シリコーン、ポリジメチルシロキサン油（ＰＤＭＳ）、ポリフェニルメチルシロキサン油（ＰＰＭＳ）、イソパラフィン、メチレンクロライド、ペンタン、ドデカン、トリデカン、テトラデカンまたはこれらの混合物から選択する溶媒中の混合物として用いられる。
　例えば以下の化合物をあげることができる。
・ポリ（ジメチルシロキサン／メチルビニルシロキサン）
・ポリ（ジメチルシロキサン／ジフェニルシロキサン）
・ポリ（ジメチルシロキサン／フェニルメチルシロキサン）
・ポリ（ジメチルシロキサン／ジフェニルシロキサン／メチルビニルシロキサン）
　例えば、非限定的に以下の混合物をあげることができる。
１）　鎖の末端でヒドロキシル化したポリジメチルシロキサン（ＣＴＦＡ辞典の分類によるならば、ジメチコノール）からまた環状ポリジメチルシロキサン（ＣＴＦＡ辞典の分類によるならば、シクロメチコーン）からつくられる混合物、例えばダウコーニング社により発売のＱ２１４０１製品、
２）　環状シリコーンとともにポリジメチルシロキサンからつくられる混合物、例えば、ＳＦ１２０２　Ｓｉｌｉｃｏｎｅ　Ｆｌｕｉｄ（デカメチルシクロペンタシロキサン）中に溶解した分子量５００，０００のＳＥ３０ガムである、ゼネラルエレクトリック社のＳＦ１２１４　Ｓｉｌｉｃｏｎｅ　Ｆｌｕｉｄ製品、
３）　異なる粘度をもつＰＤＭＳの混合物、特にＰＤＭＳガムとＰＤＭＳ油との混合物、例えばゼネラルエレクトリック社のＳＦ１２３６およびＳＦ１２４１製品。ＳＦ１２３６製品は粘度２０ｍ２／秒をもつ上記に規定のＳＥ３０ガムと粘度５×１０−６ｍ２／秒をもつＳＦ９６油との混合物（ＳＥ３０ガム１５％とＳＦ９６油８５％）である。
　ＣＦ１２４１製品はＳＥ３０ガム（３３％）と粘度１０−３ｍ２／秒をもつＰＤＭＳ（６７％）との混合物である。
　本発明に使用できるオルガノポリシロキサン樹脂はＲ２ＳｉＯ２／２、ＲＳｉＯ３／２およびＳｉＯ４／２単位を含む架橋シロキサン物質であり、上式においてＲは炭素原子１〜６個をもつ炭化水素基またはフェニル基を表わす。これらの物質のうち特に好ましいのは、Ｒが低級アルキルまたはフェニル基を表わすものである。
　これら樹脂のうち、ダウコーニング５９３の名で発売の製品またはゼネラルエレクトリック社によりＳｉｌｉｃｏｎｅ　Ｆｌｕｉｄ　ＳＳ４２３０およびＳＳ４２６７の名で発売の製品であって「ジメチル／トリメチルポリシロキサン」であるものをあげることができる。
　本発明の有機変性シリコーンは、シロキサン鎖に直接にまたは炭化水素基を介して結合した一つ以上の有機官能基を一般構造内に含む上記に規定したシリコーンである。
　例として、以下に示す基を含むシリコーンをあげることができる。
ａ）　必要に応じてアルキル基を含むポリオキシエチレンおよび（または）ポリオキシプロピレン基、例えば
・ダウコーニング社によりＤＣ１２４８の名で発売のジメチコンコポリオールおよびダウコーニング社によりＱ２　５２００の名で発売の（Ｃ１２）アルキルメチコンコポリオール、
・ユニオンカーバイド社のＳｉｌｗｅｔ　Ｌ７２２、Ｌ７５００、Ｌ７７またはＬ７１１油、
・ダウコーニング社によりＱ２−３２２５Ｃの名で発売の製品のようなジメチコンとシクロメチコンとの混合物、
ｂ）　例えば、ゼネラルエレクトリック社により「ＦＦ．１５０　Ｆｌｕｏｒｏｓｉｌｉｃｏｎｅ　Ｆｌｕｉｄ」の名で発売のまたは信越化学によってＸ−２２−８１９、Ｘ−２２−８２０、Ｘ−２２−８２１またはＸ−２２−８２２の名で発売の製品におけるような、過弗素化基例えばトリフルオロアルキル基、
ｃ）　ヨーロッパ特許出願ＥＰＡ０，３４２，８３４号明細書に記載のシリコーン、特にダウコーニング社によりＱ２−８４１３の名で発売のシリコーンにおけるような、ヒドロキシアシルアミノ基、
ｄ）　ダウコーニング社のＸ２−８３６０シリコーンまたはＧｅｎｅｓｅｅ社のＧＰ７２ＡおよびＧＰ７１におけるような、チオール基、
ｅ）　Ｇｅｎｅｓｅｅ社のＧＰ４　Ｓｉｌｉｃｏｎｅ　Ｆｌｕｉｄ、同社のＧＰ７１００、ダウコーニング社のＱ２　８２２０、ユニオンカーバイド社のＡＦＬ４０またはＣＴＦＡ辞典において「アモジメチコーン」と称されるシリコーンにおけるような、置換または非置換アミノ基、
ｆ）　チッソ社のヨーロッパ特許第１８６，５０７号明細書中に記載の製品におけるような、カルボキシレート基、
ｇ）　フランス特許出願ＦＲ−８５　１６３３４号明細書に記載されている、式：
（式中、同じであるか異なる基Ｒ１はメチルおよびフェニル基から選択し、Ｒ１の少くとも６０モル％はメチル基であり、Ｒ１′基は２価のＣ２〜Ｃ１８アルキレン炭化水素基であり、ｐは１〜３０であり、かつｑは１〜１５０である）に相当するヒドロキシアルキル官能基を含むポリオルガノシロキサンにおけるような、ヒドロキシレート基、
ｈ）　ＳＷＳ　Ｓｉｌｉｃｏｎｅｓ社のＦ７５５シリコーンコポリマーおよびゴールドシュミット社のＡｂｉｌｗａｘ　２４２８、Ａｂｉｌｗａｘ　２４３４またはＡｂｉｌｗａｘ　２４４０製品におけるような、アルコキシレート基、
ｉ）　フランス特許出願８８　１７４３３号明細書中に記載されている、式：
（式中、Ｒ２はメチル、フェニル、ＯＣＯＲ″またはヒドロキシル基を表わし、ケイ素１原子あたり唯一のＲ２はＯＨであってよく、Ｒ２′はメチルまたはフェニル基を表わし、Ｒ２およびＲ２’基の全体の少くとも６０モル％はメチル基であり、Ｒ″はＣ８〜Ｃ２０アルキルまたはアルケニル基を表わし、Ｒは直鎖または分枝鎖の２価のＣ２〜Ｃ１８アルキレン炭化水素基を表わし、ｒは１〜１２０であり、ｐは１〜３０であり、ｑは０であるか０．５ｐより小さく、ｐ＋ｑは１〜３０であり、式（ＩＩ）のポリオルガノシロキサンはｐとｑとｒとの合計の１５％を超えない割合
におけるようなアシルオキシアルキル基、
ｊ）　Ｘ２　８１０８およびＸ２　８１０９製品またはゴールドシュミット社のＡｂｉｌ　Ｋ３２７０製品におけるような第４級アンモニウム基、
ｋ）　ゴールドシュミット社によりＡｂｉｌ　Ｂ９９５０の名で発売の製品におけるような両性基またはベタイン基、
ｌ）　ゴールドシュミット社によりＡｂｉｌ　Ｓ２０１およびＡｂｉｌ　Ｓ２５５の名で発売の製品のような重亜硫酸塩基。
　本発明にとって特に好ましいポリオルガノシロキサンは、
１）　ローヌ−プーラン社により発売の７００４７および４７系列のＳｉｌｂｉｏｎｅ油
、
のようなトリメチルシリル末端基を含有する直鎖ポリアルキルシロキサン型の非揮発性シリコーン、
社
非揮発性シリコーン
２）　ダウコーニング社のＱ２　１４０１またはゼネラルエレクトリック社のＳＦ１２１４　Ｓｉｌｉｃｏｎｅ　Ｆｌｕｉｄのようなオルガノシロキサンと環状シリコーンとの混合物、
３）　信越化学によってＸ−２２−８２１によって発売のフルオロシリコーンのような、トリメチルシリル末端基を含有し鎖上にトリフルオロプロピル基を置換したポリアルキルシロキサン型のフルオロシリコーン
のうちから選択する。
　本発明により用いるポリオルガノシロキサンは、分散液の全重量に対して０．５〜５０重量％、望ましくは１〜３０重量％の割合で水性分散液中に存在する。
　本発明により用いるアクリルアミド／２−アクリルアミド−２−メチルプロパンスルホン酸架橋コポリマーは、一層特定的には、テトラアリルオキシエタン、アリルサッカロース、アリルペンタエリスリトールまたはメチレンビスアクリルアミドのようにオレフィンポリ不飽和を含む化合物によって架橋したコポリマーであって、水酸化ナトリウム、水酸化カリウム、アンモニア水あるいはトリエタノールアミンまたはモノエタノールアミンのようなアミンのごとき中和剤によって部分的にまたは完全に中和されたものである。
　本発明のコポリマーはアゾビスイソブチロニトリル型の開始剤を用いて遊離基経路を経てアクリルアミドとナトリウム２−アクリルアミド−２−メチルプロパンスルホネートとを共重合しかつ第三−ブタノールのようなアルコール中で沈澱させることにより製造できる。
　好ましいコポリマーは、単量体の混合物１モルあたり１０−４〜４×１０−４モルの濃度で架橋剤を用いて７０〜５５モル％のアクリルアミドと３０〜４５モル％のナトリウム２−アクリルアミド−２−メチルプロパンスルホネートとを共重合することによって得る。
　コポリマーは０．０５〜１０重量％、望ましくは０．１〜６重量％の濃度にて本発明の水性分散液中に存在する。
　本発明の化粧品中に用いられあるいは局所的適用に使用される水性分散液の特に好ましい形は、
ａ）　オルガノポリシロキサン、
ｂ）　アクリルアミド／中和２−アクリルアミド−２−メチルプロパンスルホン酸架橋コポリマー、
ｃ）　非イオン乳化剤、
ｄ）　高沸点をもつイソパラフィン炭化水素一つ以上
を含有する水性分散液である。
　一つ以上のイソパラフィン炭化水素は分散液の全重量に対して望ましくは０．０２〜６．５重量の割合で存在する。
　特に、エクソンケミカルズ社によってＩｓｏｐａｒ　Ｍの名で発売の製品のようなＣ１２〜Ｃ１３イソパラフィン炭化水素混合物が使用される。
　本発明により用いる非イオン乳化剤は例えば、ソルビタン脂肪酸エステル、脂肪酸エステル、エトキシル化脂肪酸エステル、脂肪族アルコールおよびエトキシル化脂肪族アルコール、エチレンオキサイド／プロピレンオキサイドまたはエチレンオキサイド／ブチレンオキサイド型のブロックコポリマー、あるいはこれらの混合物のうちから選択する。
　乳化剤は分散液の全重量に対して０．０１〜１．５重量％の割合で存在するのが好ましい。ラウリルアルコールのエーテルおよびエチレンオキサイド７モルを含有するポリエチレングリコールのエーテルを用いるのが好ましい。
　本発明に用いる特に好ましい形の水性分散液は、３５〜４５重量％のアクリルアミド／中和２−アクリルアミド−２−メチルプロパンスルホン酸架橋コポリマー、１５〜２５重量％のイソパラフィン炭化水素、３〜８重量％の、ラウリルアルコールのエーテルおよびエチレンオキサイド７モルを含有するポリエチレングリコールのエーテルおよび水からなる水中油型エマルジョンを含む。このようなエマルジョンはセピック社によりＳｅｐｉｇｅｌ　３０５の名で発売されている。
　本発明で使用するこの特定的水性分散液は、オルガノシロキサンポリマーを上記のエマルジョンとともに攪拌しつつ室温で単に混合することによって製造するのが好ましい。このようにして得た混合物は、所望の適用に従って選んだ他の成分を含有する水の中に直接導入してよい。
　上記に規定する本発明の特定的なコポリマーを含有する水中油型エマルジョンは、コポリマーの濃度が、分散液の全重量に対して０．０５〜１０重量％、望ましくは０．１〜６重量％となるような割合で水性分散液中に存在する。
　本発明の別な目的は、水性分散液が上記に規定するものであることを特徴とする、毛髪または皮膚の化粧品による処理または皮膚病学的処置のための水性分散液の形をとる組成物である。
　本発明による組成物は、芳香剤、染料、保存剤、金属イオン封鎖剤、植物性、動物性または合成油、遮光剤、陰イオン、非イオン、両性または陽イオン界面活性剤、ポリマー、蛋白質、コンディショナー、泡沫安定剤、推進剤または所望の適用に従って毛髪または皮膚用組成物中に通常使用する他の補助剤のように化粧品中に普通に使用する補助剤をさらに含有してよい。
　本発明に係る毛髪の処理を目的とする化粧品組成物は、シャンプーとして、シャンプーの前または後に、染毛または脱色の前、最中または後に、パーマネントウェーブがけまたは毛髪のカール除去の前または後に適用するリンス製品としてあるいはセミパーマネントローションとしてあるいはリンス不用の整型用製品として、毛髪のセットローションまたは送風乾燥ローションとして特に使用できる。
　皮膚の処理および手入れのための本発明の化粧品組成物は、入浴用またはシャワー用製品、日焼剤、ひげそり用製品、芳香入りローション、クリームまたはスキンケア乳液または日焼け防止組成物の形をとってよい。
　本発明の組成物は皮膚病学適用が可能である。この組成物は皮膚病学的な観点から活性のある物質、例えばビタミンＡ、カロテノイド、蛋白質、天然色素、レチノイド、脱色素剤、脂漏防止物質、座瘡防止剤、抗炎症剤またはケジラミ防止剤を有効量含有する。
　本発明の化粧品組成物または皮膚病学的組成物は３〜１０、望ましくは５〜７のｐＨをもつ。このｐＨは化粧品または皮膚病学的組成物中に広く用いるアルカリ剤または酸性剤によって調整できる。
　本発明による毛髪の化粧品処理方法は、効果発現時間を気にすることなく、目的とする用途（シャンプー、リンス処理、リンス不用の整型処理）に応じて上記に規定の組成物を毛髪に適用し、かつ必要に応じてリンスすることからなる。
　本発明による皮膚の化粧品処理方法は、目的とする用途（入浴用製品、シャワー用製品、日焼剤、ひげそり用製品、芳香入りローション、ケアクリームまたはミルク）に応じて皮膚に上記に規定の組成物を適用することからなる。
　以下に示す諸例は本発明を何ら限定することなく例解するためのものである。
　　　
例　１
　下記の組成をもつリンス不用の手入用組成物を調製する。
　　・セピック社によりＳｅｐｉｇｅｌ　３０５の名で発売の、アクリルアミド／ナトリウム２−アクリルアミド−２−メチルプロパンスルホネート架橋コポリマーの水中油型エマルジョン
　　　　　　　　　　　　　　　　　　　　　　　コポリマーとして０．１７ｇ
　　・ダウコーニング社によりＱ２−１４０１の名で発売のジメチコノール（１３％）、オクタメチルシクロテトラシロキサンとデカメチルシクロペンタシロキサン（８７％）の混合物
　　　　　　　　　　　　　　　　　　　　　　　　　　　　　　　　　１５ｇ
　　・ダウコーニング社によりＸ２　８３６０の名で発売の式：
のチオール官能基をもつポリオルガノシロキサン　　　　　　　　　　　　５ｇ
　　・保存剤、芳香剤　　　　　　　　　　　　　　　　　　　　　　十分な量
　　・得られるｐＨ　　　　　　　　　　　　　　　　　　　　　　　　６．３
　　・水　　　　　　　　　　　　　　　　　　　　　全体を１００ｇとする量
　　　
例　２
　リンス不用の手入れ用組成物を調製する。
　　・セピック社によりＳｅｐｉｇｅｌ　３０５の名で発売の、アクリルアミド／ナトリウム２−アクリルアミド−２−メチルプロパンスルホネート架橋コポリマーの水中油型エマルジョン
　　　　　　　　　　　　　　　　　　　　　　　コポリマーとして０．１４ｇ
　　・信越化学によりＸ−２２−８２１の名で発売のポリジメチルメチルトリフルオロプロピルシロキサン
　　　　　　　　　　　　　　　　　　　　　　　　　　　　　　　　　２０ｇ
　　・保存剤、芳香剤　　　　　　　　　　　　　　　　　　　　　　十分な量
　　・得られるｐＨ　　　　　　　　　　　　　　　　　　　　　　　　７．２
　　・水　　　　　　　　　　　　　　　　　　　　　全体を１００ｇとする量
　　　
例　３
　リンス不用の手入れ用組成物を調製する。
　　・セピック社によりＳｅｐｉｇｅｌ　３０５の名で発売の、アクリルアミド／ナトリウム２−アクリルアミド−２−メチルプロパンスルホネート架橋コポリマーの水中油型エマルジョン
　　　　　　　　　　　　　　　　　　　　　　　コポリマーとして０．３５ｇ
　　・ダウコーニング社により４７Ｖ　５００，０００の名で発売のポリジメチルシロキサン（分子量２５０，０００）
　　　　　　　　　　　　　　　　　　　　　　　　　　　　　　　　　　５ｇ
　　・保存剤、芳香剤　　　　　　　　　　　　　　　　　　　　　　十分な量
　　・塩酸　　　　　　　　　　　　　　　　　　　　　　　ｐＨを５とする量
　　・水　　　　　　　　　　　　　　　　　　　　　全体を１００ｇとする量
　　　
例　４
　下記の組成をもつリンス用アフターシャンプーを調製する。
　　・セピック社によりＳｅｐｉｇｅｌ　３０５の名で発売の、アクリルアミド／ナトリウム２−アクリルアミド−２−メチルプロパンスルホネート架橋コポリマーの水中油型エマルジョン
　　　　　　　　　　　　　　　　　　　　　　　コポリマーとして０．２１ｇ
　　・式：
（式中、Ｒ″はＣ１６Ｈ３３およびＣ１８Ｈ３７基の混合基であり、ｐ＝７．９、ｑ＝１．４、ｒ＝９．３である）のポリジオルガノシロキサン
第２，６４１，１８５号の実施例Ａに記載のごとく製造できる。
　　・保存剤、芳香剤　　　　　　　　　　　　　　　　　　　　　　十分な量
　　・得られるｐＨ　　　　　　　　　　　　　　　　　　　　　　　　７．５
　　・水　　　　　　　　　　　　　　　　　　　　　全体を１００ｇとする量
　　　
例　５
　下記の組成をもつリンス用アフターシャンプーを調製する。
　　・セピック社によりＳｅｐｉｇｅｌ　３０５の名で発売の、アクリルアミド／ナトリウム２−アクリルアミド−２−メチルプロパンスルホネート架橋コポリマーの水中油型エマルジョン
　　　　　　　　　　　　　　　　　　　　　　　コポリマーとして０．１４ｇ
　　・ダウコーニング社によりＱ２−１４０１の名で発売のジメチコノール（１３％）、オクタメチルシクロテトラシロキサンとデカメチルシクロペンタシロキサン（８７％）の混合物
　　　　　　　　　　　　　　　　　　　　　　　　　　　　　　　　　２０ｇ
　　・保存剤、芳香剤　　　　　　　　　　　　　　　　　　　　　　十分な量
　　・得られるｐＨ　　　　　　　　　　　　　　　　　　　　　　　　７．６
　　・水　　　　　　　　　　　　　　　　　　　　　全体を１００ｇとする量
　　　
例　６
　下記の組成をもつアフターシャンプーを調製する。
　　・セピック社によりＳｅｐｉｇｅｌ　３０５の名で発売の、アクリルアミド／ナトリウム２−アクリルアミド−２−メチルプロパンスルホネート架橋コポリマーの水中油型エマルジョン
　　　　　　　　　　　　　　　　　　　　　　　　コポリマーとして１．５ｇ
　　・ローヌ−プーラン社によって発売の３０％のアミノ化シリコーン油（粘度３×１０−４ｍ２／秒をもつアモジメチコン）を含有する非イオンマイクロエマルジョン
　　　　　　　　　　　　　　　　　　　　　　　　　　シリコーンとして３ｇ
　　・保存剤、芳香剤　　　　　　　　　　　　　　　　　　　　　　十分な量
　　・得られるｐＨ　　　　　　　　　　　　　　　　　　　　　　　　６．５
　　・水　　　　　　　　　　　　　　　　　　　　　全体を１００ｇとする量
　　　
例　７
　下記の組成をもつ日焼防止エマルジョンを調製する。
　　・セピック社によりＳｅｐｉｇｅｌ　３０５の名で発売の、アクリルアミド／ナトリウム２−アクリルアミド−２−メチルプロパンスルホネート架橋コポリマーの水中油型エマルジョン
　　　　　　　　　　　　　　　　　　　　　　　　コポリマーとして３．２ｇ
　　・ダウコーニング社によりＱ２−１４０１の名で発売のジメチコノール（１３％）、オクタメチルシクロテトラシロキサンとデカメチルシクロペンタシロキサン（８７％）の混合物
　　　　　　　　　　　　　　　　　　　　　　　　　　　　　　　　７．５ｇ
　　・液状パラフィン　　　　　　　　　　　　　　　　　　　　　　　　５ｇ
　　・ＩＣＩ社によりＡｒｌａｃｅｌ　１６５の名で発売のグリセロールステアレートとエチレンオキサイド１００モルを含むポリエチレングリコールステアレートとの混合物
　　　　　　　　　　　　　　　　　　　　　　　　　　　　　　　　　　３ｇ
　　・ジボーダン社によりＰａｒｓｏｌ　ＭＣＸの名で発売の２−エチルヘキシルｐ−メトキシシナメート
　　　　　　　　　　　　　　　　　　　　　　　　　　　　　　　　　　６ｇ
　　・保存剤、芳香剤　　　　　　　　　　　　　　　　　　　　　　十分な量
　　・水　　　　　　　　　　　　　　　　　　　　　全体を１００ｇとする量
　　　
例　８
　下記の組成をもつ日焼後処理剤を調製する。
　　・セピック社によりＳｅｐｉｇｅｌ　３０５の名で発売の、アクリルアミド／ナトリウム２−アクリルアミド−２−メチルプロパンスルホネート架橋コポリマーの水中油型エマルジョン
　　　　　　　　　　　　　　　　　　　　　　　　コポリマーとして１．２ｇ
　　・ダウコーニング社によりＱ２−１４０１の名で発売のジメチコノール（１３％）、オクタメチルシクロテトラシロキサンとデカメチルシクロペンタシロキサン（８７％）の混合物
　　　　　　　　　　　　　　　　　　　　　　　　　　　　　　　　　１５ｇ
　　・Ｄｒａｇｏｃｏ社によりＤｒａｇｏｓａｎｔｏｌの名で発売のα−ビザボロール（テルペン誘導体）
　　　　　　　　　　　　　　　　　　　　　　　　　　　　　　　　０．３ｇ
　　・グリセロール　　　　　　　　　　　　　　　　　　　　　　　　　５ｇ
　　・ＩＣＩ社によりＡｒｌａｃｅｌ　１６５の名で発売のグリセロールステアレートとエチレンオキサイド１００モルを含むポリエチレングリコールステアレートとの混合物
　　　　　　　　　　　　　　　　　　　　　　　　　　　　　　　　　　５ｇ
　　・保存剤、芳香剤　　　　　　　　　　　　　　　　　　　　　　十分な量
　　・水　　　　　　　　　　　　　　　　　　　　　全体を１００ｇとする量
　　　
例　９
　下記の組成をもつアフターシャンプーを調製する。
　　・セピック社によりＳｅｐｉｇｅｌ　３０５の名で発売の、アクリルアミド／ナトリウム２−アクリルアミド−２−メチルプロパンスルホネート架橋コポリマーの水中油型エマルジョン
　　　　　　　　　　　　　　　　　　　　　　　　　　コポリマーとして２ｇ
　　・ダウコーニング社によりＱ２−１４０１の名で発売のジメチコノール（１３％）、オクタメチルシクロテトラシロキサンとデカメチルシクロペンタシロキサン（８７％）の混合物
　　　　　　　　　　　　　　　　　　　　　　　　　　　　　　　　　　５ｇ
　　・ユニオンカーバイド社によりＪＲ４００の名で発売のヒドロキシエチルセルロースとトリメチルアミンによって第４級化したエピクロルヒドリンとのポリマー
　　　　　　　　　　　　　　　　　　　　　　　　　　　　　　　　　　１ｇ
　　・保存剤、芳香剤　　　　　　　　　　　　　　　　　　　　　　十分な量
　　・トリエタノールアミン　　　　　　　　　　　　　ｐＨを６．５とする量
　　・水　　　　　　　　　　　　　　　　　　　　　全体を１００ｇとする量
　　　
例　１０
　下記の組成をもつリンス用アフターシャンプー組成物を調製する。
　　・セピック社によりＳｅｐｉｇｅｌ　３０５の名で発売の、架橋アクリルアミド／ナトリウム２−アクリルアミド−２−メチルプロパンスルホネート架橋コポリマーの水中油型エマルジョン
　　　　　　　　　　　　　　　　　　　　　　　　　コポリマーとして１０ｇ
　　・ゼネラルエレクトリック社によりＣＦ１２４１の名で発売の異なった粘度をもつ二つのポリジメチルシロキサンの混合物
　　　　　　　　　　　　　　　　　　　　　　　　　　　　　　　　４．５ｇ
　　・保存剤　　　　　　　　　　　　　　　　　　　　　　　　　　十分な量
　　・得られるｐＨ　　　　　　　　　　　　　　　　　　　　　　　　５．５
　　・水　　　　　　　　　　　　　　　　　　　　　全体を１００ｇとする量
　　　
例　１１
　下記の組成をもつリンス用アフターシャンプー組成物を調製する。
　　・セピック社によりＳｅｐｉｇｅｌ　３０５の名で発売の、架橋アクリルアミド／ナトリウム２−アクリルアミド−２−メチルプロパンスルホネート架橋コポリマーの水中油型エマルジョン
　　　　　　　　　　　　　　　　　　　　　　　　　　コポリマーとして５ｇ
　　・ダウコーニング社により７００４７Ｖ５００，０００の名で発売のポリジメチルシロキサン（分子量２５０，０，０００）
　　　　　　　　　　　　　　　　　　　　　　　　　　　　　　　　　　３ｇ
　　・保存剤　　　　　　　　　　　　　　　　　　　　　　　　　　十分な量
　　・トリエタノールアミン　　　　　　　　　　　　　ｐＨを７．２とする量
　　・水　　　　　　　　　　　　　　　　　　　　　全体を１００ｇとする量